(57)【要約】　　　（修正有）【課題】版浮きを防止して安定した版装着状態を確保することができる刷版を提供する。【解決手段】輪転機の版胴４のスリット溝６にくわえ尻側（天側）の係止片３ｂとくわえ側（地側）の係止片３ａを挿入して装着する刷版において、くわえ側（地側）の係止片３ａに、スリット溝内でくわえ尻側（天側）の係止片３ｂをスプリング力で保持させる、外側に膨出した膨出部７が形成されている。膨出部７は、係止片３の全長に亘って形成したり、係止片３の長さ方向に間隔をおいて形成したりすることができる。また、膨出部３が、スリット溝内に設けられたプランジャーにより内側からくわえ尻側（天側）の係止片へ押圧される形状としてもよい。【選択図】　　図１
2004090378.tif 000002
【特許請求の範囲】
【請求項１】
輪転機の版胴のスリット溝にくわえ尻側（天側）の係止片とくわえ側（地側）の係止片を挿入して装着する刷版において、
くわえ側（地側）の係止片に、スリット溝内でくわえ尻側（天側）の係止片をスプリング力で保持させる、外側に膨出した膨出部が形成されていることを特徴とする刷版。
【請求項２】
前記膨出部が係止片の全長に亘って形成されていることを特徴とする請求項１記載の刷版。
【請求項３】
前記膨出部が係止片の長さ方向に間隔をおいて形成されていることを特徴とする請求項１記載の刷版。
【請求項４】
前記膨出部が、スリット溝内に設けられたプランジャーにより内側からくわえ尻側（天側）の係止片へ押圧される形状であることを特徴とする請求項１、２又は３に記載の刷版。
【発明の詳細な説明】
【０００１】
【発明の属する技術分野】
本発明は、新聞等の印刷に使用するオフセット輪転機の版胴に装着する刷版に関する。
【０００２】
【従来の技術】
新聞用のオフセット輪転機においては、版胴に刷版が装着される。オフセット輪転機における版胴に刷版を装着する方法については、色々な方法があるが例えば図５に示されるような版締め機構が一般的である（１９９７年４月１０日　社団法人日本新聞協会発行　新聞印刷ハンドブック　６０頁参照）。図５において、くわえ側の係止片３を引っ掛け、くわえ尻側の係止片３を版締め機構５のバネ５ａをカム５ｂで押して引っ張ることにより装着する。
【０００３】
しかしながら、上記のような機構にした場合、構造が複雑になると共に、版を装着するためのギャップ幅を広く取る必要がある。このギャップ幅が広くなった場合、印刷時に該版胴とブランケット胴とのギャップが揃い、印圧、転写圧のかからない状態が周期的に発生して起こる振動が増すことになる（１９９７年４月１０日　社団法人日本新聞協会発行　新聞印刷ハンドブック　５７頁〜５９頁参照）。この振動が大きくなると、印刷スピードのアップや紙面品質等の障害に拍車がかかる。このギャップ通過時のショック軽減のために、ギャップを出来るだけ狭くする方法が採られている。この方式をナローギャップと呼び最近のオフセット輪転機における、版装着方法の主流となりつつある（１９９７年４月１０日社団法人日本新聞協会発行　新聞印刷ハンドブック　２０９頁〜２１０頁参照））。例えば刷版のくわえ側及びくわえ尻側を版胴の周面に設けられた狭い溝に差し込むだけのスリット方式図４（ｃ）のような簡易な方法がある。スリット方式の場合の一例として、刷版のくわえ側（地側）３ａでくわえ尻側（天側）３ｂが抜けないように押える版曲げの角度、形状を形成する。このスリット方式の場合、刷版を押え、外れないようにするための複雑な機構を設ける必要がなく、コストの面でも有効である。また、版胴が１倍版胴の場合には、このスリット方式を用いるメリットは更に増す。つまり、１倍版胴の場合２倍版胴に比べ直径が約半分になるため、刷版を押えるための複雑な機構を設ける事はその為の加工が容易ではなく、コストも嵩む。このため図４（ｃ）のスリット方式に見られるように、版胴の周面に刷版を差し込むだけの狭い溝を設けるだけで済むので簡易な加工方法で済み、またコストも嵩まない。従来のスリット方式に用いられる刷版形状及び装着の方法は図４（ａ）、（ｂ）、（ｃ）のようなものになる。
【０００４】
図４（ａ）は従来のスリット方式の刷版の平面図、（ｂ）は刷版の断面図、（ｃ）は版胴に装着した状態を示す図である。図４（ａ）及び（ｂ）において、新聞紙面内容および基準マーク（いわゆるトンボマーク）１ａの画像が形成された刷版１の天側および地側に相対して２箇所の基準となる位置決め孔２を刷版用のパンチャーなどで形成する。次に、刷版用のベンダーなどで刷版１のくわえ側（地側）およびくわえ尻側（天側）の版曲げ加工を行って、刷版１を版胴に装着するための係止片３ａ、３ｂを形成する。
【０００５】
刷版１の版胴４への装着は　図４（ｃ）に示すいわゆるナローギャップ式の刷版１の場合、版胴４のスリット溝６にくわえ側（地側）係止片３ａおよびくわえ尻側（天側）係止片３ｂを挿入して取付ける。
【０００６】
【発明が解決しようとする課題】
しかしながら、従来の方式では、刷版を差し込むだけの構造であるため、刷版のくわえ側やくわえ尻側が版胴に密着せずに生じる、版浮き現象が発生し易いものであった。ひいてはこの版浮き現象のために、印刷中に繰り返される衝撃により版が切れるという問題もあった。
【０００７】
そこで本発明は、版浮きを防止して安定した版装着状態を確保することができる刷版を提供するものである。
【０００８】
【課題を解決するための手段】
本発明は、輪転機の版胴のスリット溝にくわえ尻側（天側）の係止片とくわえ側（地側）の係止片を挿入して装着する刷版において、くわえ側（地側）の係止片に、スリット溝内でくわえ尻側（天側）の係止片をスプリング力で保持させる、外側に膨出した膨出部が形成されていることを特徴とする。前記膨出部は、係止片の全長に亘って形成したり、係止片の長さ方向に間隔をおいて形成したりすることができる。また、前記膨出部が、スリット溝内に設けられたプランジャーにより内側からくわえ尻側（天側）の係止片へ押圧される形状としてもよい。
【０００９】
【発明の実施の形態】
本発明では、刷版のくわえ側（地側）の係止片に外側に膨出する膨出部を形成して、版胴のスリット溝内でくわえ尻側（天側）の係止片を膨出部のスプリング力で保持させ、版浮きを防止することができる。なお、膨出部の形状や配置は、膨出部がくわえ尻側（天側）の係止片をスプリング力で保持するようにすればよく、特に限定されるものではない。
【００１０】
【実施例】
実施例１
図１（ａ）は本発明の刷版の一実施例を示す断面図、（ｂ）は斜視図、（ｃ）は版胴のスリット溝に装着した状態を示す図である。
【００１１】
図１（ａ）及び（ｂ）において、版胴４のくわえ側（地側）の係止片３ａに全長に亘って外側に膨出した曲面の膨出部７を形成する。
【００１２】
図１（ｃ）に示すように、版胴４のスリット溝６にくわえ側（地側）の係止片３ａ及びくわえ尻側（天側）の係止片３ｂを挿入して刷版１を版胴４に装着する。くわえ側（地側）の係止片３ａの膨出部７によりくわえ尻側（天側）の係止片３ｂをスプリング力で保持させることができるので、版浮きを防止することができる。
【００１３】
実施例２〜５
図２（ａ）〜（ｄ）は本発明の別実施例を示す図である。
【００１４】
実施例２は、図２（ａ）において、版胴４のくわえ側（地側）の係止片３ａに全長に亘って外側に膨出した断面三角形の膨出部７を形成する。
【００１５】
実施例３は、図２（ｂ）において、版胴４のくわえ側（地側）の係止片３ａに長さ方向に外側に膨出した膨出部７を間隔をおいて形成する。
【００１６】
実施例４は、図２（ｃ）において、くわえ側（地側）の係止片３ａを山形の膨出部７に形成したものである。
【００１７】
実施例５は、図２（ｄ）において、くわえ側（地側）の係止片３ａに間隔をおいて、複数の長い膨出部を形成したものである。
実施例２〜５も実施例１と同様にくわえ側（地側）の係止片３ａに形成された膨出部７により天側の係止片３ｂをスプリング力で保持させることができるので、版浮きを防止することができる。
【００１８】
実施例６
図３は本発明の別実施例を示す図である。本実施例ではスリット溝６内に、挿入されたくわえ側（地側）の係止片３ａの膨出部７を内側から押圧する、ボール８ａおよびボール８ａを押すバネ８ｂとからなるボールプランジャー８を設けたものである。本実施例では、膨出部７をボールプランジャー８で押すことによりスプリング力に加えてさらに版浮きが起こらないようにすることができる。
【００１９】
【発明の効果】
本発明は、くわえ側（地側）の係止片に、スリット溝内でくわえ尻側（天側）の係止片をスプリング力で保持させる、外側に膨出した膨出部を形成することにより、膨出部がくわえ尻側（天側）の係止片をスプリング力で保持するので、版浮きを防止することができる。
【図面の簡単な説明】
【図１】（ａ）は本発明の刷版の一実施例を示す断面図、（ｂ）は斜視図、（ｃ）は版胴のスリット溝に装着した状態を示す図である。
【図２】（ａ）〜（ｄ）は本発明の別実施例を示す図である。
【図３】本発明の別実施例を示す図である。
【図４】（ａ）は従来の刷版の平面図、（ｂ）は刷版の断面図、（ｃ）は版胴に装着した状態を示す図である。
【図５】従来の版締め機構を利用した刷版の装着した状態を示す図である。
【符号の説明】
１：刷版
１ａ：基準マーク
２：位置決め孔
３：係止片
３ａ：くわえ側（地側）の係止片
３ｂ：くわえ尻側（天側）の係止片
４：版胴
５：版締め機構
５ａ：バネ
５ｂ：カム
６：スリット溝
７：膨出部
８：ボールプランジャー
８ａ：ボール
８ｂ：バネ
【図１】
2004090378.tif 000003
【図２】
2004090378.tif 000004
【図３】
2004090378.tif 000005
【図４】
2004090378.tif 000006
【図５】
2004090378.tif 000007